(57)【要約】【課題】遊技盤と基板との間に不正部品が設置されるのを防止可能な遊技機を提供する。【解決手段】遊技部品２６,２７および外部アース接続部６３に対してアース線を介して接続されるアース線集合板９３を遊技盤３０に配設すると共に、該アース線集合板９３の後方に離間する位置に、該アース線集合板９３と前後に重なる位置関係で基板１１３を配設する。そして、アース線集合板９３と基板１１３との間に形成される空間部９１に、該空間部９１を埋める不正防止部材１００を配設することで、当該空間部９１への不正部材の取り付けを防止する。【選択図】図８
2010227423.tif 000002
【特許請求の範囲】
【請求項１】
外郭をなす外枠に開閉可能に組み付けられる本体枠と、前記本体枠に前後に開口するよう形成された遊技盤保持部に着脱可能に配設され、前面側に遊技球が流下可能な遊技領域が画成されると共に各種遊技部品が配設された遊技盤とを備え、前記遊技盤を遊技盤保持部に配設した際に、該遊技盤に設けた外部アース接続部を本体枠に設けた本体側アース部に接触させ、本体枠を介して遊技盤で発生した静電気を機外に逃がすよう構成された遊技機において、
前記遊技盤は、前記遊技部品および前記外部アース接続部に対してアース線を介して接続されるアース線集合板が配設されると共に、該アース線集合板の後方に離間する位置に、該アース線集合板と前後に重なる位置関係で基板が配設されて、
前記アース線集合板と基板との間に形成される空間部に、該空間部を埋める不正防止部材が配設されて、当該空間部への不正部材の取り付けを防止するよう構成された
ことを特徴とする遊技機。
【請求項２】
前記不正防止部材は、前記基板に対向する平板状の平板部と、該平板部から格子状に突設された突出片とを備え、該突出片により前記空間部を小空間に区画することで、空間部への不正部材の取り付けを防止するよう構成された請求項１記載の遊技機。
【請求項３】
前記遊技盤は、前記遊技領域が形成された透明板と、該透明板の裏側に取り付けられて透明板の裏面を覆う裏ユニットとから構成されて、前記遊技部品として前記遊技領域を流下する遊技球が入賞可能な入賞装置が前記透明板に配設されると共に、該入賞装置を収容する収容部が前方に開口するよう前記裏ユニットに形成され、
前記裏ユニットには、前記アース線集合板にアース線を介して接続される弾性変形可能な第１のアース板が取り付けられて、該収容部に前記入賞装置を収容した際に、該入賞装置に取り付けられた第２のアース板が第１のアース板の前面に接触するよう構成されると共に、前記第１のアース板を前方へ向けて付勢する付勢用突部が形成される請求項１または２記載の遊技機。
【発明の詳細な説明】
【技術分野】
【０００１】
本発明は、遊技領域を画成した遊技盤が本体枠に対して着脱可能に配設される遊技機に関する。
【背景技術】
【０００２】
例えば遊技機の代表例の一つであるパチンコ機は、外郭をなす外枠に対して開閉可能に支持された本体枠としての中枠に遊技盤を着脱可能に配設するよう構成されている。この遊技盤の盤面には、パチンコ球が打ち出される遊技領域が画成されると共に、該遊技盤の裏側に、各種図柄を変動表示して図柄変動演出を行なう液晶パネルが用いられた図柄表示装置が配設され、該遊技盤に形成した開口部等を介して図柄表示装置の表示面を前側から視認し得るよう構成される。そして、この種のパチンコ機では、前記遊技盤の前面側に、前記遊技領域に打ち出されたパチンコ球が入賞可能な入賞装置が配設され、該入賞装置へのパチンコ球の入賞により図柄表示装置での図柄変動演出が開始されるよう構成されており、図柄変動演出の結果として図柄表示装置に所定の組合わせ(例えば同一図柄の三つ揃い等)で図柄が停止すると、遊技者に有利な所謂大当りが発生するよう構成されている。
【０００３】
また近年は、前記遊技盤を大型化すると共に、該遊技盤を、透明な合成樹脂製の透明板と、この透明板の裏側に取り付けた裏ユニットとから構成して、該裏ユニットに大型の遊技部品(例えば図柄表示装置や照明装置等)を配設することにより、遊技演出の多様化やインパクト、迫力の向上を図り、遊技の面白みを増大させるよう構成されたパチンコ機も提案されている(例えば、特許文献１参照)。
【先行技術文献】
【特許文献】
【０００４】
【特許文献１】特開２００８−２９５４９４号公報
【発明の概要】
【発明が解決しようとする課題】
【０００５】
ところで、遊技盤の裏側に配設される図柄表示装置を大型化すると、該遊技盤裏側において、該遊技部品が占有する領域が増大する。ここで、前記遊技盤に配設される照明装置等の電気的な遊技部品に接続された配線や、遊技部品等に帯電した静電気を除去するアース線は、前側から視認されないよう遊技盤の裏側で引き回されて、該遊技盤に設けた基板に一旦接続したもとで、各対応の制御装置に対して電気的に接続されたり、外部のアース部に接続するよう構成される。ここで、前記遊技盤の裏側において図柄表示装置が占有する領域が増大すると、遊技盤裏側において配線やアース線を引き回すために利用可能なスペースが相対的に限定されることになる。そこで、遊技盤裏側のスペースを有効活用するべく、遊技盤と基板との間のスペースに配線やアース線を引き回すことが行なわれることがある。
【０００６】
ここで、前記基板の裏面(遊技盤との対向面)からは、表面側(実装面側)に設置された配線接続用のコネクタ接続部等端子が突出している。このため、前記基板は、基板の裏面から突出する端子が配線やアース線等に接触しないように遊技盤から所定距離だけ離間させて設置され、該基板と遊技盤との間に一定の空間部が画成される。このような基板に覆われた空間部は、外部から空間部内を直接視認できないため、前記入賞装置を誤作動させるための不正部品や、制御装置に予め設定された制御条件とは異なった制御条件で演出を実行させるための不正部品等が設置される虞がある。
【０００７】
そこで本発明は、従来の技術に係る遊技機に内在する前記課題に鑑み、これを好適に解決するべく提案されたものであって、遊技盤と基板との間に不正部品が設置されるのを防止可能な遊技機を提供することを目的とする。
【課題を解決するための手段】
【０００８】
前記課題を克服し、所期の目的を達成するため、本願の請求項１に係る遊技機は、
外郭をなす外枠(11)に開閉可能に組み付けられる本体枠(12)と、前記本体枠(12)に前後に開口するよう形成された遊技盤保持部(24)に着脱可能に配設され、前面側に遊技球が流下可能な遊技領域(34)が画成されると共に各種遊技部品(26,27)が配設された遊技盤(30)とを備え、前記遊技盤(30)を遊技盤保持部(24)に配設した際に、該遊技盤(30)に設けた外部アース接続部(63)を本体枠(12)に設けた本体側アース部(23)に接触させ、本体枠(12)を介して遊技盤(30)で発生した静電気を機外に逃がすよう構成された遊技機において、
前記遊技盤(30)は、前記遊技部品(26,27)および前記外部アース接続部(63)に対してアース線(GW1〜GW7)を介して接続されるアース線集合板(92,93)が配設されると共に、該アース線集合板(93)の後方に離間する位置に、該アース線集合板(92,93)と前後に重なる位置関係で基板(113)が配設されて、
前記アース線集合板(92,93)と基板(112,113)との間に形成される空間部(90,91)に、該空間部(90,91)を埋める不正防止部材(95,100)が配設されて、当該空間部(90,91)への不正部材の取り付けを防止するよう構成されたことを要旨とする。
【０００９】
このように、アース線集合板と基板との間に不正防止部材を配設して、該アース線集合板と基板との間に画成される空間部を埋めるようにしたから、該空間部に不正部品が設置されるのを効果的に防止できる。また、不正防止部材を設けることで、アース線集合板と基板との接触が防止される。従って、アース線集合板から基板を必要以上に離間させる必要がなく、当該アース線集合板と基板の間に画成される空間部自体を小さくでき、不正部品の設置を防止し得る。
【００１０】
請求項２に係る遊技機は、前記不正防止部材(95)は、前記基板(112)に対向する平板状の平板部(96)と、該平板部(96)から格子状に突設された突出片(97)とを備え、該突出片(97)により前記空間部(90)を小空間に区画することで、空間部(90)への不正部材の取り付けを防止するよう構成されたことを要旨とする。
【００１１】
このように、格子状の突出片を形成することで不正防止部材の剛性が向上され、該不正防止部材が損傷等されて前記空間部に不正部品が設置されるのを防止し得る。また、不正防止部材を平板部と格子状の突出片とから形成することで、該不正防止部材の軽量化やコスト低減を図り得る。
【００１２】
請求項３に係る遊技機は、前記遊技盤(30)は、前記遊技領域(34)が形成された透明板(31)と、該透明板(31)の裏側に取り付けられて透明板(31)の裏面を覆う裏ユニット(57)とから構成されて、前記遊技部品(26,27)として前記遊技領域(34)を流下する遊技球が入賞可能な入賞装置(40)が前記透明板(31)に配設されると共に、該入賞装置(40)を収容する収容部(77a)が前方に開口するよう前記裏ユニット(57)に形成され、
前記裏ユニット(57)には、前記アース線集合板(93)にアース線(GW5)を介して接続される弾性変形可能なアース板(79)が取り付けられて、前記収容部(77a)に前記入賞装置(40)を収容した際に、該入賞装置(40)に取り付けられた別のアース板がアース板(79)の前面に接触するよう構成されると共に、前記アース板(47)を前方へ向けて付勢する付勢用突部(78b)が形成されることを要旨とする。
【００１３】
このように、裏ユニットに設けた付勢用突部により第１のアース板を前方へ向けて付勢するよう構成したことで、該第１のアース板に対して前方から接触される第２のアース板を確実に接触させることができ、入賞装置で発生する静電気を逃がすことができる。
【発明の効果】
【００１４】
本発明に係る遊技機によれば、不正防止部材により遊技盤と基板との間の空間を埋めることができ、遊技盤と基板との間に不正部品が設置されるのを防止し得る。
【図面の簡単な説明】
【００１５】
【図１】本発明の実施例に係るパチンコ機の正面図である。
【図２】実施例に係るパチンコ機から前枠と遊技盤を取り外した状態を示す正面図である。
【図３】実施例に係る遊技盤と中枠の上枠部材との関係を示す側面図であって、遊技盤を分解すると共に中枠の上枠部材を縦断した状態を示す。
【図４】実施例に係る裏ユニットを正面側から視た状態を示す斜視図である。
【図５】実施例に係る裏ユニットと球樋部材との関係を示す要部拡大斜視図である。
【図６】実施例に係る裏ユニットと球樋部材との関係を示す要部拡大正面図である。
【図７】実施例に係る球樋部材を示す斜視図であって、(a)は正面側から視た状態を示し、(b)は背面側から視た状態を示す。
【図８】実施例に係る裏ユニットにおける第１〜第３中継基板設置部と、第１および第２不正防止部材と、第１〜第３中継基板とを分解した状態を背面側から視た状態で示す要部拡大斜視図である。
【図９】実施例に係る裏ユニットにおける第１〜第３中継基板設置部を示す背面図である。
【図１０】実施例に係る裏ユニットにおける第１〜第３中継基板設置部に第１〜第３中継基板を設置した状態を示す背面図である。
【図１１】実施例に係る第２中継基板設置部を示す斜視図であって、(a)は背面右下方から視た状態を示し、(b)は背面左下方から視た状態を示す。
【図１２】実施例に係る第２中継基板設置部を示す図１０のＡ-Ａ線断面図である。
【図１３】実施例に係る第１不正防止部材を示す斜視図であって、(a)は正面側から視た状態を示し、(b)は背面側から視た状態を示す。
【図１４】図１０におけるＢ-Ｂ線断面図である。
【図１５】実施例に係る第３中継基板設置部を示す斜視図であって、(a)は背面右下方から視た状態を示し、(b)は背面左下方から視た状態を示す。
【図１６】実施例に係る第３中継基板設置部を示す図１０のＡ-Ａ線断面図である。
【図１７】実施例に係る第２不正防止部材を示す斜視図であって、(a)は正面側から視た状態を示し、(b)は背面側から視た状態を示す。
【図１８】図１０におけるＣ-Ｃ線断面図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
実施例に係るパチンコ機１０は、図１に示すように、矩形枠状に形成されて遊技店の図示しない設置枠台に固定される固定枠としての外枠１１の開口前面側に、遊技盤３０(図３参照)が着脱可能に保持される本体枠としての中枠１２が開閉および着脱可能に組み付けられて、該遊技盤３０の裏側に対して、各種図柄を変動表示可能な図柄表示装置１９(図３参照)が着脱可能に配設されている。また、前記中枠１２の前面側には、前記遊技盤３０を透視保護するガラス板を備えた装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。ここで、前記上球受け皿１４は、前記前枠１３と別体に形成して中枠１２に対して開閉可能に組み付けるようにしてもよい。
【００１８】
図２に示すように、前記中枠１２は、上縁をなす合成樹脂製の上枠部材２０と、下縁をなし、スピーカ１６や打球発射装置１７、操作ハンドル１８等が設置された合成樹脂製の下枠部材２１と、導電性の金属により形成されて左側縁をなす左枠部材２２と、同じく導電性の金属により形成されて右側縁をなす右枠部材２３とから構成されて、これら上下左右の枠部材２０,２１,２２,２３を組み付けた際に、全体が前記外枠１１の開口に整合する矩形枠状に形成される。そして、前記上下左右の枠部材２０,２１,２２,２３を組み付けた際に前後に開口する開口領域が、前記遊技盤３０を設置する遊技盤保持部２４(図２参照)として機能する。ここで、前記中枠１２は、前記外枠１１の左上端部および左下端部に設けられた支軸(図示せず)を介して枢支され、左側端部を中心として中枠１２を回転させることで、該外枠１１に対して中枠１２を開閉し得るようになっている。また、前記中枠１２には、前記設置台にアース接続された電源装置(図示せず)が配設されており、該電源装置から導出したアース線を前記右枠部材２３に接続するようになっている。
【００１９】
前記右枠部材２３の後端部には、遊技盤保持部２４を覆う保護カバー(図示せず)を開閉可能に枢支する導電金属製の軸受部２３ａが上下方向に離間する複数箇所(実施例では３箇所)に形成されており、該保護カバーを閉鎖することで遊技盤保持部２４に保持した遊技盤３０の裏側の略全面が覆われるようになっている。なお、最上部に位置する軸受部２３ａには、前記遊技盤３０を遊技盤保持部２４に保持した状態で、該遊技盤３０に設けたアース金具(外部アース接続部)６３(図３または図４参照)が接触して導通するようになっている。
【００２０】
（遊技盤３０について）
前記中枠１２の遊技盤保持部２４に配設される前記遊技盤３０は、図３に示すように、アクリルやポリカーボネート等の光透過性の合成樹脂材からなる平板状の透明板３１と、該透明板３１の後面に組み付けられる裏ユニット５７とから構成されており、該裏ユニット５７に配設された発光演出装置２６や可動演出装置２７等の遊技部品を、透明板３１を介して前方から視認し得るよう構成されている。ここで、前記透明板３１および裏ユニット５７は、外郭形状が略整合する大きさおよび形状に形成されて、該透明板３１と裏ユニット５７とを組み付けた状態で透明板３１の後面を裏ユニット５７で全面的に覆うよう構成され、前側から遊技盤３０(裏ユニット５７)の裏側を視認し得ないようになっている。図１に示すように、前記透明板３１の前面には、前面(盤面)に配設された案内レール３６により流下可能な遊技領域３４が画成されて、前記打球発射装置１７により遊技領域３４内に発射されたパチンコ球が流下して遊技が行なわれるようになっている。なお、前記透明板３１の遊技領域３４内には、多数の遊技釘(図示せず)が植設されており、該遊技領域３４を流下するパチンコ球の接触により流下方向を不規則に変更させ得るようになっている。
【００２１】
前記透明板３１には、図１に示すように、前記裏ユニット５７に形成された開口部６０(図４参照)の前側に、前後に開口する枠状の枠状装飾体３７が配設されると共に、該枠状装飾体３７の下方位置において透明板３１の左右方向の略中央位置に、遊技領域３４を流下するパチンコ球が入賞可能な始動入所装置３９や特別入賞装置４０が配設されている。前記始動入賞装置３９は、前記透明板３１の前面にネジ固定される第１取付ベース板４２の前面側に、前記遊技領域３４を流下するパチンコ球が入賞可能な上下の始動入賞口４３ａが設けられている。そして、前記始動入賞装置３９の始動入賞口４３ａへのパチンコ球の入賞を契機として、所定数(例えば５個)のパチンコ球が賞球として前記上下の下球受け皿１４,１５に払い出されると共に前記図柄表示装置１９の表示面１９ａにおいて図柄変動演出が開始されるようになっている。なお、前記下側の始動入賞口４３ａを挟む左右位置には、相互に近接および離間するよう揺動可能な一対の開閉部材４５が設けられており、第１取付ベース板４２の後面側に固定された装置本体４４に設けた図示しないソレノイドの駆動により開閉部材４５を揺動することで、下側の始動入賞口４３ａが開閉されるようになっている。そして、前記装置本体４４の後面には、金属製の第１のアース板(図示せず)が取り付けられており、透明板３１と裏ユニット５７とを組み付けた際に、該第１のアース板が裏ユニット５７に設けられた第４のアース板７６(後述)に接触して始動入賞装置３９に帯電した静電気を除去するようになっている。
【００２２】
前記特別入賞装置４０は、透明板３１の前面にネジ固定される第２取付ベース板４６に、前後に開口する横長の特別入賞口が開設されると共に、該第２取付ベース板４６の後面側に、該特別入賞口４６ａを介してパチンコ球が入賞可能な入賞空間が形成された装置本体４７が設けられている。また、前記特別入賞口を開閉自在に閉成する開閉扉４９を装置本体４７に設けた図示しないソレノイドの駆動により開閉することで、特別入賞口が開閉されるようになっている。そして、前記図柄表示装置１９で行なわれる図柄変動演出の結果、該図柄表示装置１９に所定の図柄組み合わせ(例えば同一図柄の三つ揃い等)で図柄が停止表示されることで所謂「大当り」が発生し、これにより特別入賞装置４０の特別入賞口が開放され、該特別入賞口へのパチンコ球の入賞により多数の賞球が上下の下球受け皿１４,１５に払い出されるようになっている。また、前記装置本体４７には、金属製の第２のアース板(図示せず)が取り付けられており、透明板３１と裏ユニット５７とを組み付けた際に、該第２のアース板が裏ユニット５７に設けられた第５のアース板７９(後述)に接触して特別入賞装置４０に帯電した静電気を除去するようになっている。
【００２３】
また、図１に示すように、前記透明板３１における前記始動入所装置３９や特別入賞装置４０の左右側方には、遊技領域３４を流下するパチンコ球が入賞可能な普通入賞装置４１が夫々取り付けられている。なお、透明板３１の左側に位置する第２装着口３２ｂに配設される普通入賞装置４１および右側に位置する第２装着口３２ｂに配設される普通入賞装置４１は、基本的な構成が共通した左右対称な部材である。前記普通入賞装置４１は、前記透明板３１の前面に取着される第３取付ベース板５１の前面側に、遊技領域３４を流下するパチンコ球が入賞可能な普通入賞口５３ａ,５３ｂが形成されて、該普通入賞口５３ａ,５３ｂに入賞したパチンコ球を、前記裏ユニット５７の後述する球樋部材６５に設けた球検出センサ７０が検出することで所定数(例えば１０個)の賞球が前記上下の球受け皿１４,１５に払い出されるようになっている。なお実施例の普通入賞装置４１には、前記入賞球通路部５２(普通入賞口５３ａ,５３ｂ)が左右に離間する位置に２つ設けられて、特別入賞装置４０から離間位置する普通入賞口５３ａより特別入賞装置４０に近接位置する普通入賞口５３ｂの方が下方に位置するよう構成されている。また、前記第３取付ベース板５１の後面には、前記第２装着口３２ｂから透明板３１の後方へ突出する押圧片(図示せず)が形成されており、透明板３１と裏ユニット５７とを組み付けた際に、裏ユニット５７に設けられた球樋部材６５の第３のアース板７１(後述)に該押圧片が接触するよう構成されている。ここで、前記普通入賞装置４１には、金属メッキ加工が施されており、前記押圧片と第３のアース板７１とが接触することで、透明板３１および普通入賞装置４１に帯電した静電気を除去するようになっている。
【００２４】
(裏ユニット５７について)
前記裏ユニット５７は、図４に示すように、前方に開口する矩形箱状に形成された箱状本体５８と、該箱状本体５８の開口前端部に形成されて当該箱状本体５８の開口外側へ延出し、前記透明板３１の後面に当接する固定部６２ａ,６２ｂ,６２ｃ,６２ｄとから構成されており、該固定部６２ａ,６２ｂ,６２ｃ,６２ｄの外郭形状が前記透明板３１の外郭形状に略整合する大きさおよび形状に形成されている。具体的には、前記箱状本体５８は、前記透明板３１に対向する矩形板状に形成された対向面部５９と、該対向面部５９における上下左右の各縁部から前方に延出する上下左右の画壁部６１ａ,６１ｂ,６１ｃ,６１ｄとから前方に開口するよう形成されると共に、各画壁部６１ａ,６１ｂ,６１ｃ,６１ｄの前端部から箱状本体５８の開口外側へ向けて延出するよう上下左右の固定部６２ａ,６２ｂ,６２ｃ,６２ｄが形成されて、各固定部６２ａ,６２ｂ,６２ｃ,６２ｄを透明板３１の後面に当接させた状態で透明板３１と裏ユニット５７とが固定されて遊技盤３０を構成するようになっている。そして、前記透明板３１と箱状本体５８との間に画成される設置空間に、前記発光演出装置２６や可動演出装置２７等の遊技部品が設置されて、遊技盤３０を装飾するよう構成されると共に、前記普通入賞装置４１の普通入賞口５３ａ,５３ｂに連通する球樋部材６５が配設されて、パチンコ球を遊技盤３０の外部に排出し得るよう構成される。
【００２５】
前記箱状本体５８における対向面部５９には、図４〜図６に示すように、前後に開口する開口部６０が開設されると共に、該箱状本体５８(対向面部５９)の後面側に配設された図柄表示装置１９が開口部６０内に臨むようになっている。また、図３または図４に示すように、前記裏ユニット５７における右固定部６２ｄには、１枚の金属板を屈曲させて形成されたアース金具６３が取り付けられている。ここで、前記アース金具６３には、後述する第１のアース線ＧＷ１が接続されると共に、前記遊技盤３０を中枠１２の遊技盤保持部２４に配設した際に、該中枠１２の右枠部材２３に形成された前記軸受部２３ａにアース金具６３が接触するよう構成されて、中枠１２を介して遊技盤３０で発生した静電気を機外に排出し得るようになっている。また、前記箱状本体５８には、前記開口部６０の下方位置に、前記設置空間に配設される遊技部品や球樋部材６５等に合わせて適宜の凹凸形状に形成された取付部６４が形成されている。
【００２６】
（球樋部材６５）
また、前記裏ユニット５７(箱状本体５８の取付部６４)には、図４〜図６に示すように、前記透明板３１に配設された左右の普通入賞装置４１と対応する位置(すなわち開口部６０より下方位置)に、各普通入賞装置４１の普通入賞口５３ａ,５３ｂに入賞したパチンコ球を遊技盤３０の下方へ排出案内する球樋部材６５が夫々配設されている。ここで、前記左右の球樋部材６５,６５は、基本的な構成が共通する左右対称な部材であるので、右側の球樋部材６５の構成について説明し、左側の球樋部材６５に関しては同一の符号を付して詳細な説明を省略する。なお、前記球樋部材６５には装飾体７２がネジ止めされて、透明板３１と裏ユニット５７とを組み付けた状態で、該装飾体７２を透明板３１の前側から視認し得るようになっている。
【００２７】
図７に示すように、前記右側の球樋部材６５は、前方に開口すると共に屈曲形状に形成された断面コ字状に形成されて、前記右側の普通入賞装置４１の普通入賞口５３ａ,５３ｂに入賞したパチンコ球が排出される各球排出口に対応する位置に、上方に開口する球通入口６６ａが形成されて、前記透明板３１と裏ユニット５７を組み付けた際に、右側の球樋部材６５に設けられた球通入口６６ａに対して、右側の普通入賞装置４１に設けられた対応の球排出口が連通するようになっている。すなわち、前記右側の普通入賞装置４１に設けた普通入賞口５３ａ,５３ｂに入賞したパチンコ球は、球排出口および球通入口６６ａを介して右側の球樋部材６５の球通路に通入し、該球樋部材６５の下流端部に形成した球通出口６６ｂを介して下方へ排出される。なお、前記裏ユニット５７(箱状本体５８)における下画壁部６１ｂには、前記球通出口６６ｂと対応する位置に、上下に貫通する貫通孔５８ａが夫々形成されており、該球通出口６６ｂから排出されるパチンコ球を裏ユニット５７(遊技盤３０)の下方へ排出させ得るようになっている。
【００２８】
なお具体的には、前記球樋部材６５は、前記普通入賞装置４１における特別入賞装置４０から離間位置する入賞球通路部５２に対応して形成されて上下方向に延在する第１通路部６７と、該第１通路部６７の下端部から屈曲形成されて特別入賞装置４０に向けて下方傾斜する第２通路部６８と、該第２通路部６８において特別入賞装置４０に近接位置する入賞球通路部５２に対応して屈曲形成されて下方へ延在する第３通路部６９とからなるクランク形状に形成されている。そして、前記第１通路部６７の上端位置および第２通路部６８と第３通路部６９との屈曲位置に、前記球通入口６６ａが上方へ開口するよう形成されている。なお、前記球樋部材６５の下流端部(第３通路部６９の下流端部)には、球検出センサ７０が取り付けられるホルダ６５ｂが形成されており、前記左右の普通入賞装置４１,４１の普通入賞口５３ａ,５３ｂに入賞して球樋部材６５に流入したパチンコ球を、該ホルダ６５ｂに取り付けた球検出センサ７０で検出することで賞球が払い出されるようになっている。
【００２９】
また、前記球樋部材６５には、図５〜図７に示すように、前記普通入賞装置４１に形成された押圧片と対応する位置に第３のアース板７１が配設されており、前記透明板３１と裏ユニット５７とを組み付けた際に、該押圧片が第３のアース板７１に接触するよう構成される。この第３のアース板７１は、１枚の金属板を屈曲形成された部材であって、前記球樋部材６５の後端部に形成された突起部６５ａに対してネジ止めされる第１固定片７１ａと、該第１固定片７１ａから前方へ向けて屈曲された第１支持片７１ｂと、該第１支持片７１ｂにおける球樋部材６５の前端部で屈曲された第１接触片７１ｃとから構成されて、前記透明板３１と裏ユニット５７とを組み付けた際に、前記普通入賞装置４１の押圧片が第１接触片７１ｃを押圧状態で接触するようになっている。なお、前記右側の球樋部材６５に設けられる第３のアース板７１には、後述する第２アース線ＧＷ２が接続されており、前記裏ユニット５７における右側の球樋部材６５の裏側に形成された前後に貫通する第１アース線挿通孔５９ａを介して該裏ユニット５７の裏側に導出されて、後述する第２中継基板設置部８２の第１のアース線集合板金９２に接続されている。一方、前記左側の球樋部材６５に設けられる第３のアース板７１には、第３アース線ＧＷ３が接続されており、前記裏ユニット５７における左側の球樋部材６５の裏側に形成された前後に貫通する第１アース線挿通孔５９ａを介して該裏ユニット５７の裏側に導出されて、後述する第３中継基板設置部８３の第２のアース線集合板金９３に接続されている。
【００３０】
図４〜図６に示すように、前記箱状本体５８には、前記始動入賞装置３９の装置本体４４の上方および左右側方を囲繞する第１仕切り壁７４が前方に向けて突出するよう形成されており、該第１仕切り壁７４により画成される第１収容部７４ａに、始動入賞装置３９の装置本体４４が収容される。前記第１収容部７４ａを画成する後壁部７５には、該第１収容部７４ａに始動入賞装置３９を収容した際に、該始動入賞装置３９に設けた前記第１のアース板が接触する第４のアース板７６(図６参照)が配設されている。この第４のアース板７６は、後述する第１のアース線集合板金９２に接続する第４アース線ＧＷ４が接続されている。
【００３１】
また、図４〜図６に示すように、前記箱状本体５８には、前記特別入賞装置４０の装置本体４７の上方および左右側方を囲繞する第２仕切り壁７７が前方に向けて突出するよう形成されており、該第２仕切り壁７７により画成される第２収容部７７ａに、特別入賞装置４０の装置本体４７が収容されている。なお、前記箱状本体５８の下画壁部６１ｂは、前記第２収容部７７ａに対応する位置で前後および下方に開口するよう構成されており、前記第２仕切り壁７７が箱状本体５８の下面を画成する壁部としても機能している。そして、前記第１仕切り壁７４の下端部は、前記第２仕切り壁７７の上面に連接するよう形成されると共に、第１収容部７４ａと第２収容部７７ａとを上下に連通する連通口７７ｂが該第２仕切り壁７７に形成されており、該連通口７７ｂを介して第２収容部７７ａ側に導出された前記始動入賞装置３９に接続する配線および特別入賞装置４０に接続する配線の夫々を、該第２収容部７７ａの後方開口を介して裏ユニット５７の裏側に導出して、後述する第１の中継基板１１１に接続するよう構成されている。
【００３２】
ここで、図４〜図６に示すように、前記第２仕切り壁７７における第２収容部７７ａの左側面をなす側壁部７８には、前記箱状本体５８の内部に連通する切欠き部７８ａが左右およびに前方に開口するよう形成されて、前記特別入賞装置４０に設けた第２のアース板に接触可能な第５のアース板７９が該切欠き部７８ａに設置されている。前記第５のアース板７９は、１枚の金属板を屈曲形成された部材であって、前記裏ユニット５７における側壁部７８の外面(取付部６４側の面)に形成された固定突部(図示せず)に対してネジ止めされる第２固定片７９ａと、前記第２仕切り壁７７の切欠き部７８ａに臨むよう該第２固定片７９ａから前方へ屈曲された第２支持片７９ｂと、該第２支持片７９ｂの前端から前記第２収容部７７ａの内側方向(図４〜図６の右方向)へ屈曲され、前記特別入賞装置４０の第２のアース板に接触する第２接触片７９ｃとから構成されている。また、前記裏ユニット５７には、前記第５のアース板７９における第２支持片７９ｂの右側面(第２収容部７７ａに臨む面)に当接する支持突部７８ｂが突設されており、第２収容部７７ａに収容した前記特別入賞装置４０の第２のアース板との接触により後方へ撓む第５のアース板７９の第２接触片７９ｃを前方へ向けて弾性付勢するよう構成されている。これにより、前記特別入賞装置４０の第２のアース板と第２接触片７９ｃとを確実に接触させるようになっている。また、前記第２固定片７９ａには、第５アース線ＧＷ５が接続されており、前記裏ユニット５７における左側の球樋部材６５の裏側に形成された前後に貫通する第２アース線挿通孔５９ｂを介して該裏ユニット５７の裏側に導出されて、後述する第３中継基板設置部８３に配設された第２のアース線集合板金９３に接続されている。
【００３３】
(中継基板設置部)
また、図８〜図１０に示すように、前記裏ユニット５７の後面には、前記箱状本体５８に配設された前記図柄表示装置１９の下方位置に、第１〜第３中継基板設置部８１,８２,８３が左右方向に隣接して形成されている。そして、前記第１〜第３中継基板設置部８１,８２,８３には、複数のコネクタ接続部が設けられた第１〜第３の中継基板１１１,１１２,１１３が配設されて、該第１〜第３の中継基板１１１,１１２,１１３に設けたコネクタ接続部１１１ａ,１１２ａ,１１３ａに対して、前記発光演出装置２６や可動演出装置２７等の遊技部品に接続した配線が接続されると共に、前記図柄表示装置１９や中枠１２の裏側に配設された制御装置(図示せず)に接続した配線を該第１〜第３の中継基板１１１,１１２,１１３にコネクタ接続するよう構成されている。
【００３４】
(第１中継基板設置部８１)
前記第１中継基板設置部８１は、図８〜図１０に示すように、前記第１収容部７４ａおよび第２収容部７７ａの裏側に形成されて、前記裏ユニット５７の左右方向の略全長に亘って延在する上側の区画壁８７ａと、該第１および第２収容部７４ａ,７７ａを挟んで対向する位置に設けられ、上側の区画壁８７ａに連接する中間の区画壁８９ａ,８９ｂにより後方へ開口するよう構成されて、各区画壁８７ａ,８９ａ,８９ｂにより囲まれる領域に前記第１の中継基板１１１が配設されている。すなわち、実施例では、前記裏ユニット５７の箱状本体５８(取付部６４)の後面、第１収容部７４ａを画成する後壁部７５および第２収容部７７ａを画成する後壁部８０の後面の夫々が前記第１中継基板設置部８１の前面８４ａをなしている。なお、前記第１および第２収容部７４ａ,７７ａの後壁部７５の後面は、前記箱状本体５８よりも後方に突出している。また、前記第１中継基板設置部８１には、後方へ突出する支持リブ８１ａおよび固定突部８８ｂが形成されて、支持リブ８１ａおよび固定突部８１ｂに当接させた前記第１の中継基板１１１を固定突部８１ｂに対してネジ止めするようになっている。また、前記第１中継基板設置部８１には、前記第１の中継基板１１１の実装面に当接する基板押え部８１ｃが上側の区画壁８７ａに形成されて、該基板押え部８１ｃにより第１の中継基板１１１の上部位置を支持している。
【００３５】
ここで、前記第１中継基板設置部８１に設置された第１の中継基板１１１と、前記第１および第２収容部７４ａ,７７ａの後壁部７５(第１中継基板設置部８１の前面８４ａ)との離間距離は、該第１の中継基板１１１の裏面(第１中継基板設置部８１の前面８４ａとの対向面)に突出するコネクタ接続部１１１ａの端子部と非接触の状態を確保し得る最小限度の寸法に設定されている。また、前記第１中継基板設置部８１の前面８４ａには、後述する第６アース線ＧＷ６を挿通する配線溝８１ｄが左右方向に延在するよう形成されている。
【００３６】
(第２中継基板設置部８２)
前記第２中継基板設置部８２は、図８〜図１２に示すように、前記特別入賞装置４０の右側に位置する普通入賞装置４１に対応した球樋部材６５の裏側に位置するよう設けられ、前記上側の区画壁８７ａと、該上側の区画壁８７ａの右側(図９では左側)の端部に連接する第１側部区画壁８８ａと、該第１側部区画壁８８ａの下端部に連接して上側の区画壁８７ａに対向する下側の区画壁８７ｂと、右側(図９の左側)に位置する中間の区画壁(画壁)８９ａとから後方に開口するよう形成されて、各区画壁８７ａ,８７ｂ,８８ａ,８９ａにより囲まれる領域に前記第２の中継基板１１２が配設されている。すなわち、実施例では、前記裏ユニット５７の箱状本体５８(取付部６４)の後面が前記第２中継基板設置部８２の前面８４ｂをなしている。また、前記第２中継基板設置部８２には、前後方向に延在する支持リブ８２ａが前記第１側部区画壁８８ａに形成されると共に、前記第２の中継基板１１２の実装面に当接する基板押え部８２ｂが上側の区画壁８７ａに形成され、該第２の中継基板１１２の実装面に係脱可能に係合する係止フック８２ｃが前記下側の区画壁８７ｂに形成されている。
【００３７】
すなわち、前記箱状本体５８と基板押え部８２ｂとの間に傾斜姿勢で差し込んだ第２の中継基板１１２を支持リブ８２ａに当接させることで、第２の中継基板１１２の実装面に前記係止フック８２ｃが係合して、第２の中継基板１１２が第２中継基板設置部８２に保持される。ここで、図１２に示すように、前記第２の中継基板１１２は、前記第１の中継基板１１１と略同一平面に位置するよう取り付けられる。
【００３８】
また、図１１または図１４に示すように、前記裏ユニット５７における前記箱状本体５８の後面側には、前記第２中継基板設置部８２の下方位置に形成された段差部５８ｂに、平板状の第１のアース線集合板金９２が配設されている。そして、前記第１のアース線集合板金９２に対して、前記アース金具６３に接続する第１アース線ＧＷ１、前記右側の球樋部材６５に設けられた第３のアース板７１に接続する第２アース線ＧＷ２、前記始動入賞装置３９に対応する第４のアース板７６に接続する第４アース線ＧＷ４、該第１のアース線集合板金９２と後述する第２のアース線集合板金９３とを接続する第６アース線ＧＷ６が接続されている。なお、前記第２中継基板設置部８２を形成する下側の区画壁８７ｂは、前記第１のアース線集合板金９２と対応する位置に切欠き部８２ｄが形成されて、第２中継基板設置部８２の前面８４ｂ(箱状本体５８)と第２の中継基板１１２との間に画成される第１空間部９０が裏ユニット５７の下方に開放するようになっている。そして、前記第１のアース線集合板金９２に接続した第１アース線ＧＷ１を、前記切欠き部８２ｄを介して第２中継基板設置部８２の前面８４ｂ側に引き回して前記アース金具６３に接続される。
【００３９】
図８、図９、図１１、図１２または図１３に示すように、前記第２中継基板設置部８２には、後方に開口する配線挿通凹部８５が左右方向に延在するよう形成されており、該配線挿通凹部８５に、前記第１の中継基板１１１に接続する配線ＥＷが挿通されている。ここで、前記配線挿通凹部８５に挿通される配線ＥＷとしては、前記裏ユニット５７に配設される発光演出装置２６や可動演出装置２７等の遊技部品に接続された配線であっても、制御装置に接続された配線であってもよい。
【００４０】
また、前記第１中継基板設置部８１と第２中継基板設置部８２とを区画する前記中間の区画壁８９ａには、左右方向に開口する配線挿通部８６が形成されており、前記配線挿通凹部８５に挿通した配線ＥＷを配線挿通部８６に挿通したもとで、前記第１の中継基板１１１に接続するよう構成されている。ここで、前記第１中継基板設置部８１に第１の中継基板１１１を設置した状態において、前記中間の区画壁８９ａと第１の中継基板１１１との間の離間寸法は、該配線挿通部８６に挿通された配線ＥＷに設けられたコネクタの最小寸法よりも小さくなるよう設定されている(図１２参照)。すなわち、前記配線挿通凹部８５に挿通された配線ＥＷは、前記第１中継基板設置部８１から第１の中継基板１１１を取り外した状態で前記配線挿通部８６に挿通して第１中継基板設置部８１より後方まで引き出され、この状態で第１中継基板設置部８１に第１の中継基板１１１を設置した後に、該該配線ＥＷに設けたコネクタを第１の中継基板１１１に設けられたコネクタ接続部に接続するようになっている。換言すれば、前記第１中継基板設置部８１に第１の中継基板１１１を設置した状態では、前記配線ＥＷを配線挿通部８６から引き抜くことは不可能となっている。
【００４１】
（第１不正防止部材９５）
図８、図１２〜図１４に示すように、前記第２中継基板設置部８２には、前記第２の中継基板１１２と裏ユニット５７の箱状本体５８(第２中継基板設置部８２の前面８４ｂ)との間に画成される前記第１空間部９０に第１不正防止部材９５が配設されており、該第１空間部９０を第１不正防止部材９５で埋めるよう構成されている。なお、ここで「第１空間部９０を第１不正防止部材９５で埋める」とは、第２の中継基板１１２および裏ユニット５７の箱状本体５８(第２中継基板設置部８２の前面８４ｂ)に第１不正防止部材９５が当接して第１空間部９０を第１不正防止部材９５で完全に埋める状態に限らず、図１２に示すように、該第１空間部９０の一部を埋めるよう第１不正防止部材９５を配設して、該第１空間部９０を複数の空間に分断する構成を含むものである。前記第１不正防止部材９５は、図１３に示すように、前記第２中継基板設置部８２の前面８４ｂ(第２の中継基板１１２)に対向する平板状の第１平板部９６と、該第１平板部９６から前方へ縦横の格子状に突設された第１突出片９７とから構成され、該第１平板部９６に形成した通孔９６ａに後方から挿通したネジを、第２中継基板設置部８２に形成した固定突部８２ｅに螺挿することで、該第２突出片９７の前端部が第２中継基板設置部８２の前面８４ｂ(箱状本体５８)に当接した状態で固定される。ここで、前記第２の中継基板１１２から第１不正防止部材９５の第１平板部９６までの離間距離は、該第２の中継基板１１２の裏面(第２中継基板設置部８２の前面８４ｂとの対向面)に突出するコネクタ接続部の端子部と非接触の状態を確保し得る最小限度の寸法に設定されている。
【００４２】
すなわち、前記第１不正防止部材９５により、前記第２の中継基板１１２と第２中継基板設置部８２の前面８４ｂとの間に画成される第１空間部９０に対して異物の取り付けを不可能としている。また、前記第１不正防止部材９５の下端部には、前記第２中継基板設置部８２に形成された前記切欠き部８２ｄと対応する位置に、前方(箱状本体５８側)に向けて突出する第１規制片９８が形成されており、該切欠き部８２ｄを第１規制片９８で閉鎖するよう構成されている。すなわち、前記第２中継基板設置部８２の切欠き部８２ｄを介して前記第１空間部９０へ異物が挿入されるのを阻止するよう構成されている。また、前記第１不正防止部材９５は、透明な合成樹脂材により形成されており、該第１不正防止部材９５を第２中継基板設置部８２に取り付けた状態で、該第２中継基板設置部８２の前面８４ｂ側を透視し得るようになっている。なお、前記第１不正防止部材９５を形成する合成樹脂材としては、視認性を高めるために無色透明な合成樹脂材とすることが好ましいが、有色透明な合成樹脂材を採用してもよい。
【００４３】
(第３中継基板設置部８３)
前記第３中継基板設置部８３は、図８〜図１０、図１５または図１６に示すように、前記特別入賞装置４０の左側に位置する普通入賞装置４１に対応した球樋部材６５の裏側に位置するよう設けられ、前記上側の区画壁８７ａと、該上側の区画壁８７ａの左側(図９では右側)の端部に連接する第２側部区画壁８８ｂと、該第２側部区画壁８８ｂの下端部に連接して上側の区画壁８７ａに対向する下側の区画壁８７ｃと、左側(図９の右側)に位置する中間の区画壁８９ｂとから後方に開口するよう形成されて、各区画壁８７ａ,８７ｃ,８８ｂ,８９ｂにより囲まれる領域に前記第３の中継基板１１３が配設されている。すなわち、実施例では、前記裏ユニット５７の箱状本体５８が前記第３中継基板設置部８３の前面８４ｃをなしている。また、前記第３中継基板設置部８３には、前後方向に延在する支持リブ８３ａが前記上区画壁８７ａに形成されると共に、前記第３の中継基板１１３の実装面に当接する基板押え部８３ｂが第２側部区画壁８８ｂに形成され、該第３の中継基板１１３の実装面に係脱可能に係合する係止フック８３ｃが前記第１および第３中継基板設置部８１,８３を区画する中間の区画壁８９ｂに形成されている。
【００４４】
すなわち、前記第３の中継基板１１３を前記箱状本体５８と基板押え部８３ｂとの間に傾斜姿勢で差し込んで、該第３の中継基板１１３を支持リブ８３ａに当接させることで、前記係止フック８３ｃが第３の中継基板１１３の実装面に係合して保持される。ここで、図１６に示すように、前記第３の中継基板１１３は、前記第１の中継基板１１１と略同一平面に位置するよう取り付けられる。
【００４５】
また、図９、図１０、図１５、図１６または図１８に示すように、前記第３中継基板設置部８３における前記第３の中継基板１１３と対向する前面８４ｃには、平板状に形成された第２のアース線集合板金９３が配設されており、該第２のアース線集合板金９３に対して、前記左側の球樋部材６５に設けた第３のアース板７１に接続する第３アース線ＧＷ３、前記特別入賞装置４０の第５のアース板７９に接続した第５アース線ＧＷ５、前記第１のアース線集合板金９２に接続する第６アース線ＧＷ６、更には前記可動演出装置２７に接続する第７アース線ＧＷ７の夫々が接続されている。すなわち、前記左側の球樋部材６５、特別入賞装置４０および可動演出装置２７は、前記第１および第２のアース線集合板金９２,９３を介して前記アース金具６３に接続されている。なお、前記第３中継基板設置部８３を形成する下側の区画壁８７ｃは、前記左側の球樋部材６５に設けた球検出センサ７０と対応する位置で下方に開口する切欠き部８３ｄが形成されて、前記第２空間部９１が裏ユニット５７の下方に開放するようになっている。
【００４６】
（第２不正防止部材１００）
図１６または図１８に示すように、前記第３中継基板設置部８３には、前記第３の中継基板１１３と裏ユニット５７の箱状本体５８(第３中継基板設置部８３の前面８４ｃ)との間に画成される第２空間部９１に第２不正防止部材１００が配設されており、該第２空間部９１を第２不正防止部材１００で埋めるよう構成されている。なお、ここで「第２空間部９１を第２不正防止部材１００で埋める」とは、第３の中継基板１１３および裏ユニット５７の箱状本体５８(第３中継基板設置部８３の前面８４ｃ)に第２不正防止部材１００が当接して第２空間部９１を第２不正防止部材１００で完全に埋める状態に限らず、図１６に示すように、該２空間部９１の一部を埋めるよう第２不正防止部材１００を配設して、該第２空間部９１を複数の空間に分断する構成を含むものである。前記第２不正防止部材１００は、図１７に示すように、前記第３中継基板設置部８３の前面８４ｃ(第３の中継基板１１３)に対向する平板状の第２平板部１０１と、該第２平板部１０１の左端縁および上端縁から前方へ突設された第２突出片１０２とから構成され、該第２平板部１０１に形成した通孔１０１ａに後方から挿通したネジを、第３中継基板設置部８３に形成した固定突部８３ｅに螺挿することで、該第２突出片１０２の前端部が第３中継基板設置部８３に当接した状態で固定される。ここで、前記第３の中継基板１１３から第２不正防止部材１００の第２平板部１０１までの離間距離は、該第３の中継基板１１３の裏面(第３中継基板設置部８３の前面８４ｃとの対向面)に突出するコネクタ接続部の端子部と非接触の状態を確保し得る最小限度の寸法に設定されている。
【００４７】
すなわち、前記第２不正防止部材１００により、前記第２空間部９１に対する異物の取り付けを不可能としている。また、前記第２不正防止部材１００の下端部には、前記第３中継基板設置部８３に形成された前記切欠き部８３ｄと対応する位置に、前方(裏ユニット５７の箱状本体５８側)に向けて突出する第２規制片１０３が形成されており、該切欠き部８３ｄを第２規制片１０３で閉鎖するよう構成されている。すなわち、前記第２中継基板設置部８３の切欠き部８３ｄを介して前記第２空間部９１へ異物が挿入されるのを阻止するよう構成されている。また、前記第２不正防止部材１００は、透明な合成樹脂材により形成されており、該第２不正防止部材１００を第３中継基板設置部８３に取り付けた状態で、該第３中継基板設置部８３の前面８４ｃ側を透視し得るようになっている。なお、前記第２不正防止部材１００を形成する合成樹脂材としては、視認性を高めるために無色透明な合成樹脂材とすることが好ましいが、有色透明な合成樹脂材を採用してもよい。
【００４８】
〔実施例の作用〕
次に、前述のように構成された実施例に係るパチンコ機１０の作用につき説明する。
【００４９】
前記裏ユニット５７の裏側下方に形成された前記第２中継基板設置部８２には、該第２中継基板設置部８２に設置された第２の中継基板１１２と当該第２中継基板設置部８２の前面８４ｂとの間に画成される第１空間部９０に第１不正防止部材９５を配設して、該第１空間部９０を第１不正防止部材９５で埋めるよう構成されている。このように、裏ユニット５７の形状等に起因して前記第２の中継基板１１２と当該第２中継基板設置部８２の前面８４ｂとの間に画成される第１空間部９０に第１不正防止部材９５を配設することで、該第１空間部９０に対して不正部品が設置されるのを防止することができる。そして、前記第２中継基板設置部８２に第１不正防止部材９５を設けたことで、該第２中継基板設置部８２に形成した配線挿通凹部８５に挿通した配線ＥＷや、当該第２中継基板設置部８２の前面８４ｂを引き回される第１アース線ＧＷ１が、前記第２の中継基板１１２の端子部に接触するのを防止できる。また、前記第２中継基板設置部８２に設置された第２の中継基板１１２と、前記第１不正防止部材９５の第１平板部９６との離間距離を、該第２の中継基板１１２の裏面(第２中継基板設置部８２の前面８４ｂとの対向面)に突出するコネクタ接続部の端子部と非接触の状態を確保し得る最小限度の寸法とし得るから、前記第２の中継基板１１２を配線ＥＷや第１アース線ＧＷ１から必要以上に離間させる必要がなく、当該配線や第１アース線ＧＷ１と第２の中継基板１１２の間に画成される第１空間部９０自体を極力小さくでき、第１空間部９０への不正部品の取り付けをより確実に防止し得る。
【００５０】
更に、前記第２中継基板設置部８２に形成された切欠き部８２ｄを塞ぐ第１規制片９８を前記第１不正防止部材９５に形成してあるから、該切欠き部８２ｄを介して第１不正防止部材９５と第２中継基板設置部８２の前面８４ｂとの間に不正部品が取り付けられるのも阻止し得る。そして、前記第１不正防止部材９５を透明な合成樹脂材から形成したことにより、第２の中継基板１１２を取り外すだけで第２中継基板設置部８２の前面８４ｂと第１不正防止部材９５との間に不正が行なわれているかどうかにつき容易に確認することができる。
【００５１】
また、前記配線挿通凹部８５の後方開口は第１不正防止部材９５により被覆されるから、該配線挿通凹部８５に挿通された配線ＥＷに対する不正行為(例えば配線ＥＷへの不正部品の接続等)を防止できる。すなわち、前記配線挿通凹部８５に挿通される配線ＥＷの種類としては特に限られるものではなく、該配線挿通凹部８５の後方開口が第１不正防止部材９５で覆われることで、該配線挿通凹部８５に挿通された配線ＥＷと第２の中継基板１１２との接触を確実に防止でき、特に制御装置に接続された配線ＥＷが挿通された状態では、該配線ＥＷに対する不正行為を防止して、製造時に意図しない制御で遊技が行なわれるのを阻止することができる。
【００５２】
更に、前記第１不正防止部材９５における第１平板部９６の前面に格子状に突出する第１突出片９７を形成したことで、前記第２の中継基板１１２と第２中継基板設置部８２との間の第１空間部９０を小空間に区画でき、当該第１空間部９０への不正部品の取り付けを困難にでき、不正行為を効果的に防止し得る。また、前記第１不正防止部材９５に格子状の第１突出片９７を形成したことで該第１不正防止部材９５の剛性が向上する。このため、例えば不正行為者等が第１不正防止部材９５を故意に破損等させて第１空間部９０に不正部品を設置しようと企図した場合でも、該第１不正防止部材９５を簡単には破損し得ないから、該第１空間部９０に不正部品が設置されるのを効果的に防止し得る。また、第１不正防止部材９５を第１平板部９６と格子状の第１突出片９７とから形成することで、前記第２の中継基板１１２と第２中継基板設置部８２との間の第１空間部９０を埋めるブロック状に形成する場合に比べて、該第１不正防止部材９５の軽量化を図り得ると共にコストを低減させる。
【００５３】
また、実施例では、前記第１中継基板設置部８１に第１の中継基板１１１を設置した状態では、前記第２中継基板設置部８２に形成された前記配線挿通部８６(第１および第２中継基板設置部８１,８２の間の中間の区画壁８９ａ)と第１の中継基板１１１との間の離間寸法が該配線挿通部８６に挿通された配線ＥＷに設けられたコネクタの最小の幅寸法よりも小さくなるよう設定されている。このため、前記第１の中継基板１１１を第１中継基板設置部８１に設置した状態で、前記配線挿通部８６に挿通された配線を第１の中継基板１１１から取り外して、別の不正部品に接続した配線を第１の中継基板１１１に接続したとしても、正規の配線ＥＷのコネクタを配線挿通部８６から引き抜くことはできず、取り外されたコネクタが残存することになるから、不正行為が行なわれたことを容易に判別することができる。
【００５４】
同様に、前記裏ユニット５７の裏側下方に形成された前記第３中継基板設置部８３には、該第３中継基板設置部８３に設置された第３の中継基板１１３と当該第３中継基板設置部８３の前面８４ｃとの間に画成される第２空間部９１に第２不正防止部材１００を配設して、該第２空間部９１を第２不正防止部材１００で埋めるよう構成されている。このように、前記第３の中継基板１１３と当該第３中継基板設置部８３の前面８４ｃとの間に画成される第２空間部９１に第２不正防止部材１００を配設することで、該第２空間部９１に対して不正部品が設置されるのを効果的に防止することができる。また、前記第２不正防止部材１００には、前記第３中継基板設置部８３に形成された切欠き部８３ｄを塞ぐ第２規制片１０３を形成してあるから、該切欠き部８３ｄを介して第２不正防止部材１００の第２平板部１０１と第３中継基板設置部８３の前面８４ｃとの間に不正部品の挿入を阻止し得る。更に、前記第２不正防止部材１００を透明な合成樹脂材から形成したことにより、第３の中継基板１１３を取り外すだけで第３中継基板設置部８３の前面８４ｃと第２不正防止部材１００との間に不正が行なわれているかどうかにつき容易に確認することができる。
【００５５】
また、前記第３中継基板設置部８３に不正防止部材を設けたことで、該第３中継基板設置部８３に配設された第２のアース線集合板金９３や該第２のアース線集合板金９３に接続する第３,第５,第６,第７アース線ＧＷ３,ＧＷ５,ＧＷ６,ＧＷ７が前記第３の中継基板１１３の端子部に接触するのを防止できる。このため、前記第３の中継基板１１３を第２のアース線集合板金９３や第３,第５,第６,第７アース線ＧＷ３,ＧＷ５,ＧＷ６,ＧＷ７から必要以上に離間させる必要がなく、当該第２のアース線集合板金９３や第３,第５,第６,第７アース線ＧＷ３,ＧＷ５,ＧＷ６,ＧＷ７と第３の中継基板１１３の間に画成される第２空間部９１自体を極力小さくでき、第２空間部９１への不正部品の取り付けをより確実に防止し得る。
【００５６】
そして、前記第２中継基板設置部８２に第１不正防止部材９５を配設すると共に、第３中継基板設置部８３に第２不正防止部材１００を配設するよう構成したことで、前記裏ユニット５７の裏側の下方位置に、前記第２の中継基板１１２や第３の中継基板１１３の裏側(設置部８２,８３側)に重なるよう各種配線ＥＷや第１〜第７アース線ＧＷ１〜ＧＷ７を設け得るようになるから、該配線ＥＷや第１〜第７アース線ＧＷ１〜ＧＷ７の引き回し位置の自由度が高まり、該裏ユニット５７の裏側に配設される図柄表示装置１９の大型化を図り得る。また、前記第１のアース線集合板金９２および第２のアース線集合板金９３を設けたことで、各第２〜第７アース線ＧＷ１〜ＧＷ７をアース金具６３まで個別に引き回す必要がなく、第２〜第７アース線ＧＷ１〜ＧＷ７の接続作業性が向上する。
【００５７】
また、実施例では、前記裏ユニット５７における第１収容部７４ａの後壁部７５に配設された第４のアース板７６を、屈曲部が前方へ突出する略く字状に折曲げ形成すると共に、前記透明板３１と裏ユニット５７を組み付けて第１収容部７４ａに始動入賞装置３９を収容した際に、始動入賞装置３９に設けた第１のアース板により接触した第４のアース板７６が押圧変形されて、該第４のアース板７６が前方へ向けて弾性付勢されるよう構成されている。従って、第２のアース板と第５のアース板７９とを確実に接触させ得るから、前記特別入賞装置４０に発生した静電気を確実にアース金具６３へ逃がすことができる。
【００５８】
また、実施例では、前記裏ユニット５７に形成した支持突部７８ｂを第５のアース板７９に当接支持して、前記透明板３１と裏ユニット５７を組み付けて第２収容部７７ａに特別入賞装置４０を収容した際に、特別入賞装置４０に設けた第２のアース板が、第５のアース板７９の第２接触片７９ｃとの接触により後方へ撓む第５のアース板７９の第２接触片７９ｃを前方へ向けて弾性付勢するよう構成されている。従って、第２のアース板と第５のアース板７９とを確実に接触させ得るから、前記特別入賞装置４０に発生した静電気を確実にアース金具６３へ逃がすことができる。更に、前記透明板３１と裏ユニット５７を組み付けた際に、該透明板３１に設けた普通入賞装置４１の押圧片が、裏ユニット５７に配設した左右の球樋部材６５に設けた第３のアース板７１の第１接触片７１ｃを押圧して、該第３のアース板７１が前方へ向けて弾性付勢されるよう構成したことで、普通入賞装置４１の押圧片と第３のアース板７１とを確実に接触させ得る。従って、前記特別入賞装置４０に発生した静電気を確実にアース金具６３へ逃がすことができる。
【００５９】
すなわち、パチンコ機１０の中枠１２に配設される遊技盤３０を透明板３１および裏ユニット５７の２つの部材から構成した場合でも、前記透明板３１に配設された始動入賞装置３９に設けた第１のアース板、特別入賞装置４０に設けた第２のアース板および普通入賞装置４１の押圧片の夫々を、該裏ユニット５７に設けた第３〜第５のアース板７９に確実に接触させることができる。これにより、透明板３１側で発生した静電気を、裏ユニット５７を介して機外に逃がすことができ、透明板３１から第１〜第７アース線ＧＷ１〜ＧＷ７が前側から視認されて装飾性を低下することはない。
【００６０】
〔変更例〕
なお、遊技機の構成としては、実施例のものに限らず、種々の変更が可能である。
(１)  実施例では、第２中継基板設置部の下方位置に第１のアース線集合板金を設けるよう構成したが、第２のアース線集合板金と第２不正防止部材との関係と同様に、該第２中継基板設置部と第１不正防止部材との間に第１のアース線集合板金を配設するよう構成してもよい。
(２)  実施例では、第１不正防止部材の平板部を略矩形板状に形成したが、これに限られず、第２中継基板設置部の形状に合わせた適宜形状に形成することができる。
(３)  実施例では、第１不正防止部材にのみ格子状の突出片を形成したが、第２不正防止部材にも第１不正防止部材と同様に格子状の突出片を形成すれば、第２不正防止部材の剛性向上が図られて、第２空間部への不正部品の設置をより確実に防止し得ると共に、該第２不正防止部材の軽量化やコスト低減を図り得る。
(４)  実施例では、第１および第２不正防止部材において、対応する第２および第３中継基板設置部に形成した切欠き部を覆う規制片を夫々形成するよう構成したが、該切欠き部および規制片の夫々を省略することができる。
(５)  実施例では、第１空間部および第２空間部の夫々を１つの不正防止部材で埋める(第１空間部および第２空間部に１つの不正防止部材を配設する)よう構成したが、これに限られるものではなく、１つの空間部を複数の不正防止部材で埋める(空間部に複数の不正防止部材を配設する)ようにしてもよい。
(６)  アース線集合板金の形状は実施例のものに限られず、任意の形状とすることができ、またアース線集合板金に接続するアース線の数も限定されるものではない。
(７)  実施例では、裏ユニットに第１〜第３中継基板設置部を形成して、各中継基板設置部毎に中継基板を配設するようにしたが、これに限らず、中継基板設置部を１つだけ形成してもよく、２つまたは４つ以上の複数の中継基板設置部を形成するようにしてもよい。また、中継基板設置部毎に中継基板を設ける構成に限られず、１つの中継基板設置部に複数の中継基板を配設するよう構成してもよい。
(８)  実施例では、裏ユニットの裏側において図柄表示装置の下方に中継基板設置部を形成したが、これに限られるものではなく、図柄表示装置の左右側方や上方に形成した中継基板設置部に不正防止部材を配設することもできる。
(９)  実施例では、裏ユニットと一体的に中継基板設置部を形成するよう構成したが、中継基板設置部を別部材とすることもできる。
(１０)  実施例では、透明板と裏ユニットとから遊技盤を構成したが、これに限られず、ベニヤ板等の木材から形成された遊技盤に対して、本発明を適用することも可能である。
(１１)  実施例では、遊技機としてパチンコ機を例示して説明したが、これに限られるものではなく、アレンジボール機やピンボール機等の従来公知の各種遊技機を採用し得る。また、図柄表示装置としても液晶パネルを用いたものに限らず、ドラム式やベルト式、その他の形式の図柄表示装置も採用可能である。
【符号の説明】
【００６１】
１１  外枠
１２  中枠(本体枠)
２３  右枠部材(本体側アース部)
２４  遊技盤保持部
３０  遊技盤
３１  透明板
３４  遊技領域
４０  特別入賞装置(入賞装置)
５７  裏ユニット
６３  アース金具(外部アース接続部)
７７ａ  第２収容部
７８ｂ  支持突部(付勢用突部)
７９  第５のアース板(別のアース板)
９０  第１空間部(空間部)
９１  第２空間部(空間部)
９２  第１のアース線集合板(アース線集合板)
９３  第２のアース線集合板(アース線集合板)
９５  第１不正防止部材(不正防止部材)
９６  第１平板部(平板部)
９７  第１突出片(突出片)
１００  第２不正防止部材(不正防止部材)
１１２  第２の中継基板(基板)
１１３  第３の中継基板(基板)
【図１】
2010227423.tif 000003
【図２】
2010227423.tif 000004
【図３】
2010227423.tif 000005
【図４】
2010227423.tif 000006
【図５】
2010227423.tif 000007
【図６】
2010227423.tif 000008
【図７】
2010227423.tif 000009
【図８】
2010227423.tif 000010
【図９】
2010227423.tif 000011
【図１０】
2010227423.tif 000012
【図１１】
2010227423.tif 000013
【図１２】
2010227423.tif 000014
【図１３】
2010227423.tif 000015
【図１４】
2010227423.tif 000016
【図１５】
2010227423.tif 000017
【図１６】
2010227423.tif 000018
【図１７】
2010227423.tif 000019
【図１８】
2010227423.tif 000020